(57)【特許請求の範囲】
【請求項１】
コンピュータが、
複数の差出人端末からダイレクトメールの宛先情報を受信するステップと、
前記ダイレクトメールの発送期限を含む設定情報を受信するステップと、
前記宛先情報による宛先の数であるダイレクトメールの数を積算するステップと、
前記発送期限に達したダイレクトメールを前記宛先情報に基づいて印刷すると共に、該発送期限内のダイレクトメールの積算結果が所定数に達した場合に、前記宛先情報に基づいてプリンタを制御し、ダイレクトメールを印刷するステップと、
を実行するダイレクトメールの発行方法。
【請求項２】
前記宛先情報を受信するステップにおいて、前記差出人端末から送信された抽出条件に従って顧客情報を記憶したデータベースから顧客情報を抽出し、該顧客情報を宛先情報とすることを特徴とする請求項１に記載のダイレクトメールの発行方法。
【請求項３】
前記ダイレクトメールを印刷するステップにおいて、ダイレクトメールを前記設定情報の宛先及び／又は重量に基づいて分別して所定数に達した場合に印刷することを特徴とする請求項１又は２に記載のダイレクトメールの発行方法。
【請求項４】
前記ダイレクトメールの発行を依頼する差出人の差出人情報を受け付けるステップと、
差出人の端末から前記ダイレクトメールの状況を請求する信号を送信された場合に、当該差出人のダイレクトメールの状況を該端末に送信するステップとを含むことを特徴とする請求項１から３の何れかに記載のダイレクトメールの発行方法。
【請求項５】
前記ダイレクトメールの発行を依頼する複数の差出人の差出人情報を受け付けるステップと、
差出人の異なる複数のダイレクトメールに共通の広告情報を印刷するステップを含むことを特徴とする請求項１から４の何れかに記載のダイレクトメールの発行方法。
【請求項６】
複数の差出人端末からダイレクトメールの宛先情報を受信する宛先情報受付手段と、
前記ダイレクトメールの発送期限を含む設定情報を受信する設定情報受付手段と、
前記宛先情報による宛先の数であるダイレクトメールの数を積算し、前記発送期限に達したダイレクトメールを前記宛先情報に基づいて印刷すると共に、該発送期限内のダイレクトメールの積算結果が所定数に達した場合に、前記宛先情報に基づいてプリンタを制御し、ダイレクトメールを印刷する発行手段と、
を備えたことを特徴とするダイレクトメールの発行装置。
【請求項７】
前記宛先情報受付手段が、前記差出人端末から送信された抽出条件に従って顧客情報を記憶したデータベースから顧客情報を抽出し、該顧客情報を宛先情報とすることを特徴とする請求項６に記載のダイレクトメールの発行装置。
【請求項８】
前記発行手段が、ダイレクトメールを前記設定情報の宛先及び／又は重量に基づいて分別して所定数に達した場合に印刷することを特徴とする請求項６又は７に記載のダイレクトメールの発行装置。
【請求項９】
前記ダイレクトメールの発行を依頼する差出人の差出人情報を受け付ける差出人情報受付手段と、
ダイレクトメールの状況を請求する信号が差出人の端末から送信された場合に、当該差出人のダイレクトメールの状況を該端末に送信する通知手段を備えることを特徴とする請求項６から８の何れかに記載のダイレクトメールの発行装置。
【請求項１０】
前記ダイレクトメールの発行を依頼する複数の差出人の差出人情報を受け付ける差出人情報受付手段と、
差出人の異なる複数のダイレクトメールに共通の広告情報を印刷する共通情報付加手段を含むことを特徴とする請求項６から９の何れかに記載のダイレクトメールの発行装置。
【請求項１１】
複数の差出人端末からダイレクトメールの宛先情報を受信するステップと、
前記ダイレクトメールの発送期限を含む設定情報を受信するステップと、
前記宛先情報による宛先の数であるダイレクトメールの数を積算するステップと、
前記発送期限に達したダイレクトメールを前記宛先情報に基づいて印刷すると共に、該発送期限内のダイレクトメールの積算結果が所定数に達した場合に、前記宛先情報に基づいてプリンタを制御し、ダイレクトメールを印刷するステップと、
をコンピュータに実行させるダイレクトメールの発行プログラム。
【請求項１２】
前記宛先情報を受信するステップにおいて、前記差出人端末から送信された抽出条件に従って顧客情報を記憶したデータベースから顧客情報を抽出し、該顧客情報を宛先情報とすることを特徴とする請求項１１に記載のダイレクトメールの発行プログラム。
【請求項１３】
前記ダイレクトメールを印刷するステップにおいて、ダイレクトメールを前記設定情報の宛先及び／又は重量に基づいて分別して所定数に達した場合に印刷することを特徴とする請求項１１又は１２に記載のダイレクトメールの発行プログラム。
【請求項１４】
前記ダイレクトメールの発行を依頼する差出人の差出人情報を受け付けるステップと、
差出人の端末から前記ダイレクトメールの状況を請求する信号を送信された場合に、当該差出人のダイレクトメールの状況を該端末に送信するステップとを含むことを特徴とする請求項１１から１３の何れかに記載のダイレクトメールの発行プログラム。
【請求項１５】
前記ダイレクトメールの発行を依頼する複数の差出人の差出人情報を受け付けるステップと、
差出人の異なる複数のダイレクトメールに共通の広告情報を印刷するステップを含むことを特徴とする請求項１１から１４の何れかに記載のダイレクトメールの発行プログラム。
【発明の詳細な説明】
【０００１】
【発明の属する技術分野】
本発明は、複数の差出人によるダイレクトメールの情報を集約し、この情報に基づいてダイレクトメールを発行するダイレクトメールの発行方法、発行装置及び発行プログラムに関するものである。
【０００２】
【従来の技術】
従来、ダイレクトメール（以下ＤＭとも称す）による新製品の紹介や商品販売の勧誘等の広告は、一般的に行われていた。
【０００３】
このダイレクトメールによる広告は、新聞の折込広告やポスターによる広告のように不特定多数に対する広告と異なり、顧客名簿等、所定の消費者の名簿に基づいて特定の消費者にダイレクトにメールを送付することができ、比較的効果の高い広告方法といえる。
【０００４】
【発明が解決しようとする課題】
しかし、このダイレクトメールを発行する場合、用紙の購入費、プリンタリボン或はトナー代、電気代、人件費、送料等の経費が必要である。
【０００５】
特に１枚ごとに送料がかかり、最も安価な葉書であっても郵送料は１枚５０円と定まっているため、ＤＭはがき１枚当たりの費用は、必ず５０円＋αとなっていた。
【０００６】
このような費用を費やして作成されたものであっても、購買意欲のない消費者にとっては意味の無いものであり、そのほとんどは、消費者の目に止まらずに捨てられてしまうことになるため、このダイレクトメールによる広告方法は、費用対効果が低いという問題点があった。
【０００７】
本発明は、斯かる実情を改善し、複数の差出人から依頼されたダイレクトメールの情報を所定数毎にまとめて処理することにより、効率良く、また効果的にダイレクトメールを発行することが可能なダイレクトメールの発行方法、発行装置及び発行プログラムの提供を目的とするものである。
【０００８】
なお、本発明において、ダイレクトメールとは、メールの内容を葉書や封書等に出力し、特定の相手にダイレクトに通知できるものであれば良く、郵便に限らず宅配便等のデリバリーサービスによるものであっても良い。
【０００９】
【課題を解決するための手段】
本発明のダイレクトメールの発行方法、発行装置及び発行プログラムは、ダイレクトメールの発行を依頼する差出人の差出人情報とを受け付けると共に、前記差出人が依頼したダイレクトメールの宛先情報と、前記差出人が依頼したダイレクトメールの設定情報とを受け付け、複数の差出人から受け付けたダイレクトメールを積算して、この積算結果が所定数に達した場合に、前記宛先情報及び設定情報に基づいてダイレクトメールを発行する。
【００１０】
即ち、複数の差出人から依頼されたダイレクトメールの情報をコストメリット等が得られる所定の数毎にまとめて処理することができるので、効率良く、また効果的にダイレクトメールを発行することが可能となる。
【００１１】
【発明の実施の形態】
以下、本発明の実施の形態を図示例と共に説明する。
【００１２】
図１は、本発明のダイレクトメール発行装置によるＤＭ発行の概念図である。
【００１３】
本実施形態のダイレクトメール発行装置１は、インターネット等のネットワークを介してＤＭの差出人の端末２から前記差出人情報、宛先情報及び設定情報等のＤＭ情報を受け付け、このＤＭ情報に基づいて配信するメールが所定数に達した場合に、このＤＭを一括して発行し、宛先人へ発送する。
【００１４】
図２は、該ダイレクトメール発行装置１の概略構成図である。
【００１５】
本例のダイレクトメール発行装置１は、本体１１内に、ＣＰＵ（central processing unit）やメインメモリ等よりなる演算処理部１２、演算処理の為のソフトウェアを記憶したハードディスク（記憶手段）１３、ユーザーインターフェース等とのデータの入出力部である入出力ポート１４、ネットワークに接続して通信を行う為の通信制御手段１５等が備えられている。
【００１６】
また、該入出力ポート１４にはキーボード、マウス等の入力手段のほか、ディスプレイやプリンタ１ａ等の出力手段が適宜接続される。
【００１７】
本体１１のハードディスク１３には、オペレーティングシステム（ＯＳ）やアプリケーションソフト（ダイレクトメール発行プログラム）がインストールされている。また、ハードディスク１３には、発行するダイレクトメールの差出人情報や宛先情報、設定情報等を記憶するＤＭ情報データベースが構築されている。
【００１８】
演算処理部１２は、周辺機器からの情報やアプリケーションソフトに基づく処理により、差出人情報受付手段や、宛先情報受付手段、設定情報受付手段、発行手段、通知手段等の機能を実現している。
【００１９】
差出人情報受付手段の機能としては、差出人端末２からの差出人情報を受け付け、前記ＤＭ情報データベースの差出人テーブルに記憶する。
【００２０】
宛先情報受付手段の機能としては、差出人端末２からの宛先情報を受け付け、前記ＤＭ情報データベースの宛先テーブルに記憶する。
【００２１】
設定情報受付手段の機能としては、差出人端末２からメールの内容及び該内容の出力形式についての設定情報を受け付け、前記ＤＭ情報データベースの設定テーブルに記憶する。
【００２２】
発行手段の機能としては、前記差出人情報受付手段、宛先情報受付手段、設定情報受付手段で受け付けたメール、即ちＤＭ情報データベースに記憶した発行すべきメールの枚数が所定数に達した場合に前記差出人情報、宛先情報及び設定情報に基づいてプリンタ１ａを制御し、ダイレクトメールを印刷（発行）する。
【００２３】
通知手段の機能としては、前記ダイレクトメールの状況を差出人端末２に通知する。
【００２４】
なお、本実施形態では、図２に示したようにＣＰＵやメインメモリ等からなる情報処理装置（コンピュータ）にて、所定のプログラムに基づく処理を行い、前記手段を実現するようにしたダイレクトメール発行装置を構成したが、これに限らず本発明のダイレクトメール発行装置は、各手段を専用の電子回路で構成した電子機器であっても良い。
【００２５】
また、差出人端末２は、所謂パーソナルコンピュータであり、ＣＰＵ（central processing unit）やメインメモリ等よりなる演算処理部、演算処理の為のソフトウェアを記憶したハードディスク（記憶手段）、ユーザーインターフェース等とのデータの入出力部である入出力ポート、ネットワークに接続して通信を行う為の通信制御手段等が備えられている。
【００２６】
この差出人端末２は、ウエブページの閲覧ソフト（ウエブブラウザ）を有しており、このウエブブラウザの機能により、ネットワークを介してＤＭ発行装置１の提供するウエブページにアクセスすることが可能となっている。
【００２７】
次に上記構成のダイレクトメール発行装置１におけるダイレクトメール発行手順（ダイレクトメール発行方法）について説明する。図３は、このダイレクトメール発行手順の説明図である。
【００２８】
先ずＤＭ発行サービスを利用するユーザー（差出人）は、差出人端末２を用いてＤＭ発行装置１に接続し、認証を受ける。即ちＤＭ発行装置１は、差出人端末２から認証を希望する旨の情報を受信した場合、ユーザー認証用の入力フォーム（ウエブページ、即ちＨＴＭＬのファイル）を該差出人端末２に送信する（ステップ１、以下Ｓ１のように略記する）。
【００２９】
図４は、この入力フォームを端末２のディスプレイに表示させた例を示している。
【００３０】
はじめてのユーザーは、このフォームのユーザー名称（お客様名称）、ユーザー電話番号（お客様連絡先電話番号）、ユーザーパスワード等を入力し、登録ボタン３１を押す（マウス等のポインティングデバイスで選択する）。この登録ボタン３１が押されると、差出人端末２は入力されたユーザー情報をＤＭ発行装置１に送信する（Ｓ２）。
【００３１】
ＤＭ発行装置１は、このユーザー情報を記憶手段１３のユーザー情報データベースに記憶し、ユーザーコード（お客様コード）を発行して端末２に通知する（Ｓ３）。
【００３２】
なお、次回からは、該ユーザーが、この入力フォームにユーザーコードとパスワードを入力してログインボタン３２を押し、ＤＭ発行装置１がこのユーザーコードとパスワードで認証を行う。
【００３３】
認証後、ＤＭ発行装置１は、差出人情報受付手段の機能により、前記ユーザー情報を差出人情報として受け付け、記憶手段１３のＤＭ情報データベースに記憶する（Ｓ４）。本例では、該ＤＭ情報データベースの差出人のフィールドに前記ユーザーコードを記憶させ、このＤＭを発行する際に、このユーザーコードと対応する名称等をユーザー情報データベースから読み出して利用している。
【００３４】
次に差出人は、顧客名簿等からＤＭの送り先（宛先情報）を抽出し、これを所定形式のファイルとして電子メールやＦＴＰで端末２からＤＭ発行装置１へ送信する（Ｓ５）。
【００３５】
ＤＭ発行装置１は、宛先情報受付手段の機能により、この宛先情報を受け付け、ＤＭ情報データベースの宛先フィールドに記憶する。
【００３６】
なお、本例では、宛先情報を端末２側で抽出したが、これに限らず、顧客情報等のデータベースをＤＭ発行装置１の記憶手段１３に備え、端末２から抽出条件を該ＤＭ発行装置１へ送信した場合に、ＤＭ発行装置１の宛先情報受け付け手段が、この抽出条件に従って該顧客情報等のデータベースから該当情報を抽出し、これを宛先情報として受け付けても良い。
【００３７】
この宛先情報の受け付けが完了した場合、ＤＭ発行装置１は、ダイレクトメールの設定用のフォームを差出人端末２に送信する（Ｓ６）。
【００３８】
差出人は、先ずこの設定用のフォームに従い、ＤＭの種類（定形郵便物、定形外郵便物、通常はがき、往復はがき、宅配便用メール等）、サイズ（長さ、幅及び厚さ）、重量、料金支払方法（料金後納、料金計器別納、料金別納等）、発送期限を入力し、この入力情報をフォーム中の送信ボタン（不図示）を選択して端末２からＤＭ発行装置１に送信する。
【００３９】
該入力情報を受信したＤＭ発行装置１は、これをＤＭ設定情報として受け付けると共に、該ＤＭの種類に応じた入力フォームを端末２に送信する。なお、本例では、はがきの場合について説明する。
【００４０】
ＤＭ発行装置１は、次にＤＭ全体に関する設定を行うフォーム（ＤＭスタイル設定フォーム）を送信する。図５は、このＤＭスタイル設定フォームを端末２に表示させた例を示している。
【００４１】
このフォームに従い、差出人は、ＤＭタイプ（車検、点検、定期交換の案内、年賀状、暑中見舞、新車の広告等、目的の区分）、ＤＭレイアウト（用紙のサイズと方向）、背景図を選択する。
【００４２】
この選択後、「次へ」ボタン３３が押されると、この選択結果が、端末２からＤＭ発行装置１へ送信され、ＤＭ設定情報として受け付けられると共に、次のフォーム（ＤＭ内容設定（表側）フォーム）を端末２へ送信する。
【００４３】
図６は、このＤＭ内容設定（表側）フォームを端末２に表示させた例を示している。
【００４４】
このフォームに従い、差出人は、画面右側の部品一覧３４の各部品について、文字の色やサイズ、内容、画像の内容（パス名）等を適宜編集し、必要な部品をマウス等のポインティングデバイスで画面左側の用紙３５上にドラッグ（配置）する。
【００４５】
なお、差出人の名称３６や住所３７、電話番号３８は、差出人情報受付手段で受け付けた差出人情報をデフォルト値として示している。
【００４６】
また、宛先情報は関数で示され、例えば、％ＰＯＳＴ％は郵便番号、％Ａｄｄｒｅｓｓ１％は住所、％Ｎａｍｅ％は氏名と対応している。
【００４７】
なお、統一表示欄４９には、複数の差出人のＤＭにわたって、共通の広告やＤＭ発行装置１の運営者の情報を表示する。
【００４８】
この配置後、「次へ」ボタン３９が押されると、この配置結果が、端末２からＤＭ発行装置１へ送信され、ＤＭ設定情報として受け付けられると共に、次のフォーム（ＤＭ内容設定（裏側）フォーム）を端末２へ送信する。
【００４９】
図７は、このＤＭ内容設定（裏側）フォームを端末２に表示させた例を示している。
【００５０】
このフォームに従い、差出人は、画面右側の部品一覧４５の各部品について、文字の色やサイズ、内容、画像の内容（パス名）等を適宜編集し、必要な部品をマウス等のポインティングデバイスで画面左側の用紙４６上にドラッグ（配置）する。
【００５１】
この配置後、「次へ」ボタン４０が押されると、この配置結果が、端末２からＤＭ発行装置１へ送信され、ＤＭ設定情報として受け付けられると共に、印刷イメージを示したプレビューのページが端末２に提供される。
【００５２】
差出人は、このプレビューページ(図８)で、印刷イメージを確認し、修正が必要であれば戻るボタン４１を押して、先のフォームに戻り、修正の必要がなければ確認ボタン４２を押す。
【００５３】
ＤＭ発行装置１は、この確認ボタン４２が押された旨の情報を受信すると、ＤＭ設定情報を確定し、受け付けを完了する。
【００５４】
次にＤＭ発行装置１は、発行手段の機能により、この時点で受け付けているダイレクトメールの数（宛先の数）を積算し、所定数に達しているか否かを判断する（Ｓ７）。
【００５５】
このＤＭ数が所定数以上の場合、ＤＭ発行装置１は、データベースに蓄積したＤＭ情報に基づいてプリンターを制御してＤＭを印刷（発行）する（Ｓ８）。
【００５６】
このとき、所定数とは、前記ＤＭ設定情報として記憶されたＤＭの種類や、サイズ、重量、料金の支払い方法、発行期日（送達日数）に応じて変更する。
【００５７】
例えば広告郵便物であれば図９のとおり、利用者区分郵便物であれば図１０、図１１のとおり、市内特別郵便であれば図１２のとおりの条件で発送する場合、この条件を記憶手段１３のＤＭ情報データベースに条件テーブルとして記憶しておき、発行手段は、この条件と上記ＤＭ設定情報とを照合し、最も割引率が高くなる発行条件を選択し、この発行枚数に達した場合に印刷を行う。
【００５８】
従って、ＤＭタイプが広告で、差出枚数が２０００通以上であれば、広告郵便物を選択し、ＤＭタイプが暑中見舞いで、差出枚数が２０００通以上であれば、利用者区分郵便物を選択し、ＤＭ種類が封書等（第一種郵便）で、差出枚数が１００通以上であれば、市内特別郵便物を選択する。
【００５９】
なお、選択した条件に事前区分が含まれる場合は、これに従い郵便区番号毎、バーコード付か否か等に区分して印刷する。
【００６０】
また、選択した条件に応じた表示方法でＤＭの表面（図６）の印影等表示欄５１や取り扱い表示欄５２に表示を行う。
【００６１】
一方、ステップ７で所定数未満と判断した場合、発行期限に達したＤＭメールが有るか否かを確認し（Ｓ９）、全てのＤＭが期限内である場合、次の依頼まで待機し、所定数に達するまで上記ステップを繰り返す。
【００６２】
また、発行期限に達したＤＭがある場合、この期限に達したＤＭについては印刷を行い通常料金で発送（Ｓ１０）し、期限内のＤＭについて保留とし、スタートに戻って依頼を待ち、所定数に達するまで上記ステップを繰り返す。
【００６３】
なお、上記のようにＤＭ発行装置１で受け付けたＤＭの状態は、差出人端末２から確認することが可能となっている。
【００６４】
例えば、差出人端末２から該ＤＭ状態の一覧を請求する信号をＤＭ発行装置１に送信すると、ＤＭ発行装置１は、当該差出人から受け付けたＤＭの一覧をウエブページとして該端末２に送信する。
【００６５】
図１３は、このＤＭの一覧ページを端末２のディスプレイに表示させた例を示している。
【００６６】
従って、この一覧ページから、ＤＭ発行装置１で受け付けたＤＭを宛先毎に印刷されたか否か（印刷日が空欄のものは否）、発送されたか否か（発送日が空欄のものは否）等のＤＭの状態がわかるようになっている。
【００６７】
次に、上記ＤＭ発行の代金請求の処理について説明する。
【００６８】
代金の算出は、次式のように、ステップ７〜１０で選択した条件の単価（発送単価）に、印刷等の諸経費の単価を加え、各差出人の発行枚数を乗ずる。
【００６９】
（発送単価＋諸経費単価）×各差出人の発行枚数＝代金
また、上記代金を単に適用するだけでなく、複数の差出人のうち、枚数の比率が大きかった差出人は、ＤＭを安く発行するための貢献が大きかったものとして前記発送単価を安く（割引率を大きく）し、他の差出人の発送単価をこの分高く設定して請求するようにしても良い。
【００７０】
また、前記統一表示欄４９に共通の広告を掲載した場合には、この広告料を広告主から徴収することで、各差出人から徴収する上記諸経費の単価を安くすることができる。
【００７１】
以上のように本実施形態によれば、複数の依頼者からの情報を所定数毎にまとめて処理することにより、発行にかかる作業効率が良く、また、料金面でのスケールメリットも受けやすい。
【００７２】
更に複数の差出人のＤＭに渡って共通の広告を掲載することにより、各差出人にかかるＤＭ発行単価を下げることができる。また、このような共通の広告は、各差出人による少量のＤＭよりも消費者の目に触れることが多く、著名になりやすい。このように著名な広告を表示しておけば、ＤＭを受け取った消費者が目をとめる可能性が高く、読まずに捨てられてしまうことを防止できるので、効果的にダイレクトメールを発行することができる。
【００７３】
〈その他の実施形態〉
尚、本発明のダイレクトメールの発行方法、ダイレクトメールの発行装置及びダイレクトメールの発行プログラムは、上述の図示例にのみ限定されるものではなく、本発明の要旨を逸脱しない範囲内において種々変更を加え得ることは勿論である。
【００７４】
例えば以下の各項に示した構成であっても前述の実施形態と同様の効果が得られる。
【００７５】
〔１〕：
複数の差出人によるダイレクトメールの情報を集約し、この情報に基づいてダイレクトメールを発行するシステムにおけるダイレクトメールの発行方法において、
前記ダイレクトメールの発行を依頼する差出人の差出人情報を受け付けるステップと、
前記差出人が依頼したダイレクトメールの宛先情報を受け付けるステップと、
前記差出人が依頼したダイレクトメールの設定情報を受け付けるステップと、
前記ステップで複数の差出人から受け付けたダイレクトメールを積算するステップと、
前記積算結果が所定数に達した場合に、前記宛先情報及び設定情報に基づいてダイレクトメールを発行するステップと、
を含むことを特徴とするダイレクトメールの発行方法。
【００７６】
〔２〕：
前記宛先情報を受け付けるステップにおいて、顧客情報を記憶したデータベースから任意の条件で顧客情報を抽出し、該顧客情報を宛先情報として受け付けることを特徴とする〔１〕に記載のダイレクトメールの発行方法。
【００７７】
〔３〕：
前記ダイレクトメールを発行するステップにおいて、ダイレクトメールを宛先及び／又は重量に基づいて分別して印刷することを特徴とする〔１〕又は〔２〕に記載のダイレクトメールの発行方法。
【００７８】
〔４〕：
前記ダイレクトメールの状況を通知するステップを含むことを特徴とする〔１〕から〔３〕の何れかに記載のダイレクトメールの発行方法。
【００７９】
〔５〕：
差出人の異なる複数のダイレクトメールに共通の情報を付加するステップを含むことを特徴とする〔１〕から〔４〕の何れかに記載のダイレクトメールの発行方法。
【００８０】
〔６〕：
複数の差出人によるダイレクトメールの情報を集約し、この情報に基づいてダイレクトメールを発行するダイレクトメールの発行装置において、
前記ダイレクトメールの発行を依頼する差出人の差出人情報を受け付ける差出人情報受付手段と、
前記差出人が依頼したダイレクトメールの宛先情報を受け付ける宛先情報受付手段と、
前記差出人が依頼したダイレクトメールの設定情報を受け付ける設定情報受付手段と、
前記ステップで複数の差出人から受け付けたダイレクトメールを積算し、該積算結果が所定数に達した場合に、前記宛先情報及び設定情報に基づいてダイレクトメールを発行する発行手段と、
を備えたことを特徴とするダイレクトメールの発行装置。
【００８１】
〔７〕：
前記宛先情報受付手段が、顧客情報を記憶したデータベースから任意の条件で顧客情報を抽出し、該顧客情報を宛先情報として受け付けることを特徴とする〔６〕に記載のダイレクトメールの発行装置。
【００８２】
〔８〕：
前記発行手段が、ダイレクトメールを宛先及び／又は重量に基づいて分別して印刷することを特徴とする〔６〕又は〔７〕に記載のダイレクトメールの発行装置。
【００８３】
〔９〕：
前記ダイレクトメールの状況を通知する通知手段を備えることを特徴とする〔６〕から〔８〕の何れかに記載のダイレクトメールの発行装置。
【００８４】
〔１０〕：
差出人の異なる複数のダイレクトメールに共通の情報を付加する共通情報付加手段を含むことを特徴とする〔６〕から〔９〕の何れかに記載のダイレクトメールの発行装置。
【００８５】
〔１１〕：
複数の差出人によるダイレクトメールの情報を集約し、この情報に基づいてダイレクトメールを発行するシステムにて運用されるダイレクトメールの発行プログラムにおいて、
前記ダイレクトメールの発行を依頼する差出人の差出人情報を受け付けるステップと、
前記差出人が依頼したダイレクトメールの宛先情報を受け付けるステップと、
前記差出人が依頼したダイレクトメールの設定情報を受け付けるステップと、
前記ステップで複数の差出人から受け付けたダイレクトメールを積算するステップと、
前記積算結果が所定数に達した場合に、前記宛先情報及び設定情報に基づいてダイレクトメールを発行するステップと、
を含むことを特徴とするダイレクトメールの発行プログラム。
【００８６】
〔１２〕：
前記宛先情報を受け付けるステップにおいて、顧客情報を記憶したデータベースから任意の条件で顧客情報を抽出し、該顧客情報を宛先情報として受け付けることを特徴とする〔１１〕に記載のダイレクトメールの発行プログラム。
【００８７】
〔１３〕：
前記ダイレクトメールを発行するステップにおいて、ダイレクトメールを宛先及び／又は重量に基づいて分別して印刷することを特徴とする〔１１〕又は〔１２〕に記載のダイレクトメールの発行プログラム。
【００８８】
〔１４〕：
前記ダイレクトメールの状況を通知するステップを含むことを特徴とする〔１１〕から〔１３〕の何れかに記載のダイレクトメールの発行プログラム。
【００８９】
〔１５〕：
差出人の異なる複数のダイレクトメールに共通の情報を付加するステップを含むことを特徴とする〔１１〕から〔１４〕の何れかに記載のダイレクトメールの発行プログラム。
【００９０】
【発明の効果】
以上、説明したように本発明によれば発明は、複数の差出人から依頼されたダイレクトメールの情報を所定数毎にまとめて処理することにより、効率良く、また効果的にダイレクトメールを発行することが可能なダイレクトメールの発行方法、発行装置及び発行プログラムを提供できる。
【図面の簡単な説明】
【図１】  本発明のダイレクトメール発行装置によるＤＭ発行の概念図
【図２】  本発明のダイレクトメール発行装置の概略構成図
【図３】  本発明のダイレクトメール発行方法の説明図
【図４】  ユーザー認証用の入力フォームの概略図
【図５】  ＤＭスタイル設定フォームの概略図
【図６】  ＤＭ内容設定（表側）フォームの概略図
【図７】  ＤＭ内容設定（裏側）フォームの概略図
【図８】  印刷イメージを示したプレビューページの概略図
【図９】  広告郵便物で発送する場合の条件の説明図
【図１０】  利用者区分郵便物で発送する場合の条件の説明図
【図１１】  利用者区分郵便物で発送する場合の条件の説明図
【図１２】  市内特別郵便物で発送する場合の条件の説明図
【図１３】  ＤＭ情報の一覧画面の説明図
【符号の説明】
１     ダイレクトメール発行装置
１ａ   プリンタ
２     差出人端末
１１   本体
１２   演算処理部
１３   記憶手段（ハードディスク）
１４   入出力ポート
１５   通信制御手段
【図１】
0004262430.tif 000002
【図２】
0004262430.tif 000003
【図３】
0004262430.tif 000004
【図４】
0004262430.tif 000005
【図５】
0004262430.tif 000006
【図６】
0004262430.tif 000007
【図７】
0004262430.tif 000008
【図８】
0004262430.tif 000009
【図９】
0004262430.tif 000010
【図１０】
0004262430.tif 000011
【図１１】
0004262430.tif 000012
【図１２】
0004262430.tif 000013
【図１３】
0004262430.tif 000014